(57)【要約】  【課題】  製造ライン等において、複屈折特性を有する光学補償層が形成された被検査フィルムの光学的欠陥検査を簡易かつ容易に行うことができるフィルムの欠陥検査装置よおび方法を提供する。  【解決手段】  複屈折特性を有する光学補償層を有する被検査フィルムに、光を入射して、被検査フィルムを透過した透過光を測定することにより、被検査フィルムの光学的欠陥を検査に際し、被検査フィルムのフィルム面に投光する照明光源と、透過光を測定する受光手段との間に、被検査フィルムの光学補償層の複屈折特性を相殺する補正フィルムを設け、かつ、この補正フィルムが、被検査フィルムに対して、偏光子よりも内側に配置することにより、前記課題を解決する。【選択図】  図１
2008151814.tif 000002
【特許請求の範囲】
【請求項１】
複屈折特性を有する光学補償層が形成された被検査フィルムに、光を入射して、前記被検査フィルムを透過した透過光を測定することによって、前記被検査フィルムの光学的欠陥を検査するフィルムの欠陥検査装置であって、
前記被検査フィルムのフィルム面に投光する照明光源と、前記被検査フィルムを透過した透過光を測定する受光手段との間に、前記被検査フィルムの光学補償層の複屈折特性を相殺する補正フィルムを有し、かつ、この補正フィルムが、前記被検査フィルムに対して、偏光子よりも内側に配置されることを特徴とするフィルムの欠陥検査装置。
【請求項２】
前記補正フィルムは、前記被検査フィルムと受光手段との間に配置される請求項１に記載のフィルムの欠陥検査装置。
【請求項３】
前記補正フィルムは、前記被検査フィルムの光学補償層と同一の複屈折特性を有するものである請求項１または２に記載のフィルムの欠陥検査装置。
【請求項４】
前記被検査フィルムおよび補正フィルムは、可撓性支持体の上に液晶性化合物を積層配向させた液晶層を有する請求項１〜３のいずれかに記載のフィルムの欠陥検査装置。
【請求項５】
前記被検査フィルムの光学補償層の偏光透過軸の方向と、前記偏光子の交差角とが、略０度、５度以上１５度以下、および、３６度以上４５度以下のいずれかに設定される請求項１〜４のいずれかに記載のフィルムの欠陥検査装置。
【請求項６】
前記補正フィルムの配置位置が、前記被検査フィルムの光学補償層の複屈折特性に応じて設定される請求項１〜５のいずれかに記載のフィルムの欠陥検査装置。
【請求項７】
複屈折特性を有する光学補償層が形成された被検査フィルムに光を入射して、前記被検査フィルムを透過した透過光を測定することによって、前記被検査フィルムの光学的欠陥を検査するに際し、
照明光源が投光した光を、偏光子、前記光学補償層、前記光学補償層の複屈折特性を相殺する補正フィルム、および、偏光子の順番で通過させて、受光手段に入射させることによって、前記被検査フィルムを透過した透過光を測定することを特徴とするフィルムの欠陥検査方法。
【発明の詳細な説明】
【技術分野】
【０００１】
本発明は、被検査フィルムの光学的欠陥検査を簡易かつ容易に行い、特に、液晶表示装置等に用いる視野角改善フィルムの製造過程において、欠陥検査を連続的に行う視野角拡大フィルムの欠陥検査装置および欠陥検査方法の技術分野に属する。
【背景技術】
【０００２】
今日、液晶表示装置として、ＴＦＴ液晶表示装置やＤＳＴＮ液晶表示装置が広く利用されている。しかし、これらの液晶表示装置は、視認可能な領域に視角依存性があるため、視認可能な領域からはずれると表示画面を見ることが困難になる。たとえば、視角を上下方向に傾けた場合、全体に表示画面の色が薄くなってコントラストが低下したり、黒表示部分での階調反転が生じて、視認が困難となる。また、大型の液晶表示装置の画面では表示画面の拡大に伴い視角が広がるため、上記コントラストの低下や階調反転が生じ易い。そのため、広い視認可能な領域を持つ液晶表示装置が望まれている。
【０００３】
このような状況下、液晶表示装置の視野角を改善するために、液晶表示装置の液晶の配向分割方法や負の複屈折率を持つ光学補償膜を用いた位相差膜等が種々検討されている。
例えば、本出願人にかかる特許文献１では、光学異方素子及びその製造方法が提案されている。それによると、液晶表示装置の液晶セルの液晶分子は、電圧印加時、液晶表示装置の基板の法線方向から若干傾くので、液晶表示装置はこの法線方向から若干傾いた方向に光軸を持つ正の一軸光学異方素子とみなすことができる。そのため、この傾きに合わせて負の一軸光学異方素子の光学軸を若干傾け、液晶セルによる位相差を光学異方素子の位相差で補償することによって、視角依存性のない良好な液晶表示装置を得ることができる。そして、本出願人から液晶用視野角改善フィルムが市販されている。
【０００４】
ところで、光学異方素子である低分子液晶から成る上記液晶用視野角改善フィルムは、最適化された液晶セルの補償状態を画面上で均一に維持するため、厳しい均質性が要求されているものの、たとえば上記液晶用視野角改善フィルムは、可撓性支持体上に液晶を塗布し乾燥し、さらに配向し、膜を硬化する各種複雑な工程を経て製造されるため、製造工程中に異物が混入したり、付着により低分子液晶の配向方向が大小様々に、あるいはランダムに変化して乱れ、また、塗布むら等によってレターデーション値が変化して、所望の光学特性を持たない欠陥部分が種々生じる。
このような欠陥部分は、複雑な製造工程を経て得られる上記液晶用視野角改善の製造ラインにおいて、漏れなくしかも精度よく検出され、このような欠陥部分を有する液晶用視野角改善フィルムを市場に提供しないことが望まれている。
【０００５】
【特許文献１】特開平６−２１４１１６号公報
【発明の開示】
【発明が解決しようとする課題】
【０００６】
ところで、搬送される液晶用視野角改善フィルムの製造ラインにおける欠陥検査方法として、液晶用視野角改善フィルムの一方の側に搬送方向と平行な偏向透過光軸を、他方の側に搬送方向と直交する偏向透過光軸を持つ一対の偏光子、すなわちクロスニコルに配置された一対の偏光子を挟み、その外側の一方から検査用照明光を投光し、反対側から透過される透過光をラインセンサ等で受光して透過光の輝度信号を得、輝度信号の変化から、例えば、輝度信号に微分処理等を行って、フィルム面の欠陥部分を検出する方法が行われている。
【０００７】
しかし、この方法では、ＣＣＤカメラ等で撮影される輝度信号を画像として表示した場合、欠陥部分が正常な部分を背景として明るい部分を形成するものの、正常な部分の透過光量が、液晶用視野角改善フィルム自体の視角依存性のために不均一であり、欠陥部分に対応した明るい部分の輝度信号のＳＮ比が低く、欠陥検出精度が低いといった問題がある。また、シェーディング補正により演算を施して正常な部分の不均一な背景部分を取り除くこともできるが、演算することによって、輝度信号に含まれる情報も処理されるため、精度の高い欠陥の検出ができない。
【０００８】
また、上記方法は、一対の偏光子を液晶用視野角改善フィルムの両側に搬送方向と平行な偏向透過光軸を持たせクロスニコルに配置することによって、欠陥部分の検出を比較的容易にするものであるが、液晶用視野角改善フィルムの液晶の配向方向が偏向透過光軸と略直交するため、正常なフィルム面の透過光量は少ない一方、明るい領域を形成する欠陥部分においても透過光量は全体的に少ないため、欠陥部分の輝度信号のＳＮ比は低く、欠陥検出精度が低いといった問題もある。
【０００９】
また、上記方法では、搬送される液晶視野角改善フィルムの欠陥検査を、搬送方向と直交する方向に固体撮像素子を一列に配置したラインセンサを用いて行うが、固体撮像素子の配列方向と平行に、連続的にあるいは周期的に、発生する欠陥、例えば、塗布むら等による段ムラの欠陥は、上記ラインセンサで得られる輝度信号の変化から精度良く検出することはできないといった問題もある。
【００１０】
このため、製造工程中に生じるすべての欠陥を漏れることなく精度よく検出することはできない。
このような問題は、液晶視野角改善フィルムのみならず、複屈折率を利用する位相差膜全体に共通する問題である。
【００１１】
そこで、本発明は、上記問題点を解消し、製造ライン等において被検査フィルムの光学的欠陥検査を簡易かつ容易に行い、さらに、製造工程中に生じるすべての光学的欠陥を漏れることなく精度よく検出するフィルムの欠陥検査装置および欠陥検査方法、特に、液晶表示装置等に用いる視野角改善フィルムの製造過程において、異物の混入や配向ムラや段ムラ等に起因する欠陥の検出を漏れなく精度良く連続的に行うフィルムの欠陥検査装置および欠陥検査方法を提供することを目的とする。
【課題を解決するための手段】
【００１２】
前記目的を達成するために、本発明のフィルムの欠陥検査装置は、複屈折特性を有する光学補償層が形成された被検査フィルムに、光を入射して、前記被検査フィルムを透過した透過光を測定することによって、前記被検査フィルムの光学的欠陥を検査するフィルムの欠陥検査装置であって、前記被検査フィルムのフィルム面に投光する照明光源と、前記被検査フィルムを透過した透過光を測定する受光手段との間に、前記被検査フィルムの光学補償層の複屈折特性を相殺する補正フィルムを有し、かつ、この補正フィルムが、前記被検査フィルムに対して、偏光子よりも内側に配置されることを特徴とするフィルムの欠陥検査装置を提供する。
【００１３】
また、本発明のフィルムの欠陥検査方法は、複屈折特性を有する光学補償層が形成された被検査フィルムに光を入射して、前記被検査フィルムを透過した透過光を測定することによって、前記被検査フィルムの光学的欠陥を検査するに際し、照明光源が投光した光を、偏光子、前記光学補償層、前記光学補償層の複屈折特性を相殺する補正フィルム、および、偏光子の順番で通過させて、受光手段に入射させることによって、前記被検査フィルムを透過した透過光を測定することを特徴とするフィルムの欠陥検査方法を提供する。
【００１４】
このような本発明のフィルムの欠陥検査装置、および、フィルムの欠陥検査方法において、前記補正フィルムは、前記被検査フィルムと受光手段との間に配置されるのが好ましく、また、前記補正フィルムは、前記被検査フィルムの光学補償層と同一の複屈折特性を有するものであるのが好ましく、また、前記被検査フィルムおよび補正フィルムは、可撓性支持体の上に液晶性化合物を積層配向させた液晶層を有するのが好ましく、また、前記被検査フィルムの光学補償層の偏光透過軸の方向と、前記偏光子の交差角とが、略０度、５度以上１５度以下、および、３６度以上４５度以下のいずれかに設定されるのが好ましく、さらに、前記補正フィルムの配置位置が、前記被検査フィルムの光学補償層の複屈折特性に応じて設定されるのが好ましい。
【発明の効果】
【００１５】
上記構成を有する本発明によれば、光学的欠陥のない被検査フィルムの複屈折特性と略同一なフィルムであって、被検査フィルムの複屈折特性に応じて配置方向が予め設定される補正フィルムを用いることによって、輝度信号の信号レベルを一定にし、さらに透過光量も増加させることができるので、欠陥部分の輝度信号のＳＮ比を大きくし、欠陥検出精度を向上させることができ、製造ライン等において被検査フィルムの光学的欠陥検査を簡易かつ容易に行うことができる。
さらに、一対の偏光子の偏向透過軸の向きを変えることによって、製造工程中に生じるすべての光学的欠陥を漏れることなく精度よく検出することができる。特に、液晶表示装置等に用いる視野角改善フィルムの製造過程において、異物の混入や配向ムラや段ムラ等に起因する欠陥の検出を連続的に漏れなく行うことができ、製造工程でのインライン全数検査において有効である。特に、段ムラは、輝度信号の輝度信号値によって検出できるので、微分処理や画像処理を用いて、段ムラの発生周期や段ムラの強度を定量化することができる。
【発明を実施するための最良の形態】
【００１６】
以下、本発明のフィルムの欠陥検査装置および欠陥検査方法について、添付の図面に示される好適実施例を基に詳細に説明する。
図１は、本発明のフィルムの欠陥検査方法を実施する、本発明のフィルムの欠陥検査装置の好適実施例である視野角改善フィルムの欠陥を検出するフィルム欠陥検査装置１０の概略の構成を示す。
【００１７】
フィルム欠陥検査装置１０は、視野角改善フィルム（以降、被検査フィルムという）Ｆの光学的欠陥部分、すなわち、複屈折特性が正常な部分と異なる欠陥部分を検出するための輝度信号を得る装置であって、得られた輝度信号は欠陥検出のための欠陥検出装置２２に送られる。
フィルム欠陥検査装置１０は、照明光源１２と、被検査フィルムＦを両面から挟む偏光子１４ａおよび偏光子１４ｂからなる一対の偏光子１４と、液晶補正フィルム１６と、光学系１８と、ＣＣＤカメラ２０とを主に有して構成される。
【００１８】
照明光源１２は、被検査フィルムＦのフィルム面を偏光子１４ａを介して一様に平行光を投光するための照明光源で、例えば伝送ライトが用いられる。投光する光は白色光が好ましいが、可視域にスペクトルを有する投影光の光源であれば制限されない。また、照明光源１２は、被検査フィルムＦのフィルム面の一定の領域を一様に投光する面光源であっても、被検査フィルムＦのフィルム面の一方向を一様に投光する線光源であってもよい。
【００１９】
一対の偏光子１４は、偏光子１４ａおよび偏光子１４ｂからなり、偏光子１４ａは、被検査フィルムＦのフィルム面と平行に配置され、照明光源１２から照射される光を直線偏向あるいは、ほぼ直線偏向して、被検査フィルムＦに入射させる部位である。
偏光子１４ｂは、偏光子１４ａとクロスニコルの状態（偏光子１４ａの偏向透過光軸と偏光子１４ｂとの偏向透過光軸を直交させた状態）で被検査フィルムＦのフィルム面に平行に配置され、被検査フィルムＦおよび後述する液晶補正フィルム１６を透過した透過光Ｌの一部分、すなわち、偏光子１４ｂの偏向透過光軸方向の透過光Ｌの成分を透過させる部位である。
偏光子１４ａおよび１４ｂともに公知の偏光子が用いられる。
【００２０】
光学系１８は、偏光子１４ｂを透過した平行光である透過光ＬをＣＣＤカメラ２０の受光面に結像するために集光する光学系レンズであり、公知の光学系レンズが用いられる。本実施例において、光学系１８を用いて透過光Ｌを平行光から集光してＣＣＤカメラ２０の受光面に結像させるのは、光学系１８がないと、ＣＣＤカメラ２０の受光面で受光する際の透過光Ｌの光量によって得られる輝度信号の値がＣＣＤカメラ２０の受光面の受光位置によって変化する視角依存性が生じるからである。このように、光学系１８は、上記視角依存性をなくし、シェーディング補正を不要とする輝度信号を得るために視角補正レンズとして用いるものであるが、後述する液晶補正フィルム１６の作用によって、視角依存性を小さくし、シェーディング補正を不要とする輝度信号を得ることができることから、必ずしも光学系１８は必須のものではない。しかし、より視角依存性を小さくし、精度の高い欠陥部分の検出を行う場合や、輝度信号の値が小さく欠陥部分のＳＮ比が小さい場合等に、特に光学系１８を用いることが好ましい。
【００２１】
ＣＣＤカメラ２０は、偏光子１４ａ、被検査フィルムＦ、液晶補正フィルム１６および偏光子１４ｂを介して透過され、光学系１８によって集光された透過光Ｌを受光し、透過光Ｌの輝度信号を得る受光手段であり、受光面上の固体撮像素子が一方向に線状に並んだラインセンサが用いられる。なお、本発明においては、受光面上の固体撮像素子がエリア状に配置されたエリアセンサであってもよい。また、本発明においては、固体撮像素子を受光面に持つＣＣＤカメラに限定されず、ＣＭＯＳ型撮像素子等の公知の固体撮像素子が用いられてもよい。
【００２２】
液晶補正フィルム１６は、本発明の特徴とする部分であって、光学的欠陥のないことが予め確認されている被検査フィルムＦの一定範囲の部分を取り出し、フィルム面内で１８０度回転し、あるいはフィルム面を表裏反転して被検査フィルムＦに平行に配置したものである。
このように被検査フィルムＦと同一の複屈折特性を備える液晶補正フィルム１６をフィルム面内で１８０度回転し、あるいはフィルム面を表裏反転して用いるのは、以下の理由によるためである。
すなわち、被検査フィルムＦは、所定の複屈折特性を持つように作られるため、液晶補正フィルム１６がない場合、ＣＣＤカメラ２０によって得られる輝度信号は、ＣＣＤカメラ２０の受光素子の受光位置に依存する視角依存性を持つので、正常なフィルム面の輝度信号は一様なレベルの信号とならず、そのため、正常なフィルム面の輝度信号から欠陥部分を検出する検出精度が低下する。そのため、正常なフィルム面の輝度信号が、受光位置によらず一定レベルとなるように、すなわち輝度信号のレベルが一様になるように液晶補正フィルム１６を用いて輝度信号を補正するのである。
【００２３】
例えば、図２（ａ）には、液晶補正フィルム１６を用いない通常の欠陥検査装置が示されており、ここでは、光学系１８のない例が示されている。
欠陥検査装置３０は、照明光源３２から投光され偏光子３４ａ、被検査フィルムＦおよび偏光子３４ｂを通過した透過光を、ラインセンサを受光面とするＣＣＤカメラ３６で受光して輝度信号を得るが、輝度信号は図２（ｂ）に示される様に正常なフィルム面の輝度信号Ｇのレベルが図中右方向に傾斜する視角依存性を持つ。そのため、正常な輝度信号Ｇに乗る欠陥部分の輝度信号ＮのＳＮ比が低く、欠陥検出精度が低い。
一方、本発明における液晶補正フィルムを用いる欠陥検査装置の一例である欠陥検査装置４０（図２（ｃ）参照）は、照明光源４２から投光され偏光子４４ａ、被検査フィルムＦ、液晶補正フィルム４６（液晶補正フィルム１６に対応）および偏光子４４ｂを通過した透過光を、ラインセンサを受光面とするＣＣＤカメラ４８で受光して輝度信号を得るものであるが、液晶補正フィルム４６を用いることによって、一様なレベル（勿論ノイズ成分を含んでいる）にある正常なフィルム部分の輝度信号Ｇ’上に欠陥部分の輝度信号Ｎ’が乗る輝度信号が得られる（図２（ｄ）参照）。これによって、輝度信号Ｇから欠陥部分をシェーディング補正することなく検出することができる。
【００２４】
このように、フィルム欠陥検査装置１０において、液晶補正フィルム１６を用いることで、図２で示した様な撮像位置に依存しない一定のレベルの輝度信号を得ることができ、欠陥部分の輝度信号のＳＮ比が向上するほか、ＣＣＤカメラ２０が受光する透過光の光量も増大し、輝度信号のレベルも上昇することによってＳＮ比が向上し、検出精度も向上する。
【００２５】
このような液晶補正フィルム１６は、光学的欠陥のない被検査フィルムＦをフィルム面内で１８０度回転し、あるいはフィルム面を表裏反転して配置したものであるが、本発明においては、これに限定されず、複屈折特性が、光学的欠陥のない被検査フィルムの複屈折特性と略同一である液晶補正フィルムを用い、上述した様に、ＣＣＤカメラ２０で得られる輝度信号の視角依存性をなくし、一定レベルの輝度信号を得られるように、被検査フィルムＦの所定の複屈折特性に応じて配置方向が予め設定されるものであれば、どのような補正フィルムであってもよい。
ここで、複屈折特性が略同一とは、検出対象の欠陥の程度に依存するものであるが、例えば、レターデション値（（遅相軸の複屈折率−遅相軸と直交する軸の複屈折率）×厚み）の差異が±３０ｎｍ、好ましくは±１０ｎｍ以下であるものをいう。
また、液晶補正フィルム１６は、偏光子１４ａまたは１４ｂに貼り合わせたものであってもよい。また、フィルム欠陥検査装置１０では、液晶補正フィルム１６を被検査フィルムＦと偏光子１４ｂとの間に配置するものであるが、偏光子１４ａと被検査フィルムＦとの間に配置するものであってもよい。
【００２６】
欠陥検出装置２２は、所定の強調回路、例えば微分処理回路や空間フィルタ回路等と、欠陥の種類に対応した検出回路、たとえば「スジ検出回路」や「薄汚れ検出回路」を有し、微分処理やフィルタ処理された輝度信号が検出回路において処理されて欠陥の有無が判定される。
【００２７】
なお、上述したように、フィルム欠陥検査装置１０のＣＣＤカメラ２０は、固体撮像素子が一列に並んだラインセンサで構成しているが、この固体撮像素子の配列方向は、図１の紙面中の左右方向であってもよいし、紙面に垂直方向であってもよいし、紙面に対して傾斜した方向であってもよい。
しかし、被検査フィルムＦが長尺物であって、被検査フィルムＦが、搬送中にフィルム欠陥検査装置１０によって検査される場合、ＣＣＤカメラ２０の固体撮像素子を、被検査フィルムＦの搬送方向と直交する方向に対して傾斜して配列するのが好ましい。
【００２８】
このような例が図３に示されている。ここでは、理解を容易にする点から、フィルム欠陥検査装置１０のＣＣＤカメラ２０と被検査フィルムＦとの関係を示し、照明光源１２、一対の偏光子１４、補正フィルム１６および光学系１８を省略している。
ここで、ＣＣＤカメラ２０は、固体撮像素子が一列に並んだラインセンサで、被検査フィルムＦの搬送方向と直交する方向に対して４５度の傾斜が付くように、ＣＣＤカメラ２０が配置されている。すなわち、ＣＣＤカメラ２０の固体撮像素子は、被検査フィルムＦの搬送方向と直交する方向に対して４５度傾斜して一列に配列される。このようなＣＣＤカメラ２０の配置により、可撓性支持体上に液晶を塗布する被検査フィルムＦの作製工程中の塗装むらによって生じる段ムラＦ1〜Ｆ5が搬送方向と直交する方向に発生しても、欠陥検出装置２２に送られる輝度信号Ａ（図３参照）は、段ムラＦ2〜Ｆ5に対応して輝度信号値が変化する。欠陥検出装置２２は、この輝度信号Ａを微分処理回路で微分処理して、輝度信号の変化を求め微分処理輝度信号Ｂを得る。これによって、欠陥を強調し、微分処理輝度信号Ｂの信号値と閾値との比較から容易に欠陥を検出することができる。このような処理輝度信号Ａあるいは微分処理輝度信号Ｂは、被検査フィルムＦの搬送方向が画面上で水平あるいは垂直となるように、画像の回転処理が施されて、モニタに画面Ｃが表示される。
【００２９】
一方、図４に示すように、ＣＣＤカメラ２０’の固体撮像素子の配列方向を被検査フィルムＦの搬送方向と直交する方向とした場合、段ムラＦ3を撮像する場合であっても、その段ムラの輝度信号Ｄは、段ムラのない正常な部分の輝度信号Ｈと比べてＤＣ成分のレベルが変わるだけである（図４参照）。従って、微分処理を行って得られる微分処理輝度信号Ｅも、欠陥のない正常な部分の微分処理輝度信号Ｉと同様に、輝度信号値に大きな変化を持たず、輝度信号値と閾値との比較から欠陥を検出することはできない。
【００３０】
このように、ＣＣＤカメラ２０は、段ムラ等のような一方向に発生しやすい欠陥の発生方向を予め想定して、配置方向を定めるのがよい。
図３の例では、固体撮像素子の配列方向は、被検査フィルムＦの搬送方向と直交する方向に対して４５度傾斜するが、本発明においては、この傾斜角度は限定されない。しかし、図示されないモニタ画面上で搬送方向を水平方向あるいは垂直方向にして画面表示する場合を考慮して、画像の回転処理を施し易いように、傾斜角度を４５度とするのが好ましい。
フィルム欠陥検査装置１０および欠陥検出装置２２は以上の様に構成される。
【００３１】
このようなフィルム欠陥検査装置１０では、照明光源１２から一様に投光された光は、偏光子１４ａによって一方向に直線偏向した成分のみとなり、被検査フィルムＦに入射する。被検査フィルムＦでは、直線偏向した光が被検査フィルムＦの複屈折特性によって楕円偏向して、被検査フィルムＦから透過する。さらに、液晶補正フィルム１６の複屈折特性によって楕円偏向を受けて液晶補正フィルム１６から透過する。液晶補正フィルム１６から透過した楕円偏向した光は、偏光子１４ａとクロスニコルに配置された偏光子１４ｂによって、偏光子１４ｂの偏向透過光軸方向の成分のみが透過し、光学系１８によって集光されてＣＣＤカメラ２０によって受光される。
【００３２】
ここで、被検査フィルムＦに欠陥が含まれる場合、この欠陥部分を通過する光の楕円偏向成分は、欠陥のない正常な部分を透過する光の楕円偏向成分と異なる。従って、ＣＣＤカメラ２０で受光して得られる輝度信号においても、欠陥部分の輝度信号値が大きく変化し、例えば輝度信号値が高くなる。
また、液晶補正フィルム１６の作用により、ＣＣＤカメラ２０で得られる輝度信号は、視角依存性を持たない一様なレベルの信号となる。なお、本発明では、被検査フィルムＦの複屈折特性によって光が楕円偏向するのを、液晶補正フィルム１６の複屈折特性によって直線偏向に戻す訳でなく、つまり、被検査フィルムＦの複屈折率の異方性を液晶補正フィルム１６の複屈折率の異方性を用いて補償する訳でなく、被検査フィルムＦの複屈折特性によってできるＣＣＤカメラの視覚依存性、すなわち、受光素子の受光位置によって輝度信号の値が変化する視角依存性を、液晶補正フィルム１６の複屈折特性を利用して補正することによって、輝度信号を一様なレベルに保たせるものである。
このような輝度信号は、欠陥検出装置２２に送られ、微分処理や空間フィルタ処理が施され、一様なレベルの輝度信号の中からノイズ成分と区別して欠陥部分の輝度信号を識別して検出する種々の検出回路に送られ、輝度信号から欠陥検出が行われる。
【００３３】
このように本発明のフィルムの欠陥検査装置は、視角依存性のない一様なレベルの輝度信号を得るために液晶補正フィルムを用いるものであるが、このフィルム欠陥検査装置を被検査フィルム（液晶用視野角改善フィルム）Ｆの製造工程に用い、被検査フィルムＦの製造工程中に生じるすべての光学的欠陥を漏れることなく精度よく検出することができる。以下、本発明のフィルムの欠陥検査装置を被検査フィルムＦの製造工程に適用したフィルムの欠陥検査システムについて説明する。
【００３４】
図５は、本発明のフィルムの欠陥検査装置を利用するフィルムの欠陥検査システムの一例である、液晶用視野角改善フィルム（被検査フィルム）Ｆの欠陥検査を行うフィルム欠陥検査システム５０を示す。
フィルム欠陥検査システム５０は、本発明に係るフィルムの欠陥検査装置の構成を備えるフィルム欠陥検査装置５８、６０および６２および欠陥検出装置６４を備える。ここで、検査の対象である被検査フィルムＦは、可撓性支持体上に液晶を塗布し乾燥し、さらに配向し、膜を硬化する各種工程を経て製造されたものである。
フィルム欠陥検査システム５０は、製造された被検査フィルムＦを巻き取りロール５２から、ローラ５６ａ〜５６ｊを介し、巻き取りロール５４に最終的に連続搬送する搬送路中に、フィルム欠陥検査装置５８、６０および６２を配置したシステムで、フィルム欠陥検査装置５８、６０および６２の各々によって輝度信号を得、この輝度信号を欠陥検出装置６４に送り、欠陥検出を行うものである。
【００３５】
欠陥検出装置６４は、欠陥検出装置２２と同様に、微分処理回路や空間フィルタ回路と、欠陥の種類に対応した検出回路、たとえば「スジ検出回路」や「薄汚れ検出回路」を有し、送られてきたフィルム欠陥検査装置５８、６０および６２各々の輝度信号を微分処理回路や空間フィルタ回路で処理し、検出回路において欠陥の有無を判定し、欠陥を検出する。
【００３６】
フィルム欠陥検査装置５８は、照明光源５８ａ、偏光子５８ｂ、液晶補正フィルム５８ｃ、偏光子５８ｄ、光学系５８ｅおよびＣＣＤカメラ５８ｆを備え、これらは、上述したフィルム欠陥検査装置１０の照明光源１２、偏光子１４ａ、液晶補正フィルム１６、偏光子１４ｂ、光学系１８およびＣＣＤカメラ２０に対応するもので、構成や作用は同一であるので説明は省略する。
ここで、偏光子５８ｂと偏光子５８ｄはクロスニコルに偏向透過光軸が配置されると共に、偏光子５８ｂまたは偏光子５８ｄの偏向透過光軸の一方は、搬送方向と平行に配置される。すなわち、一対の偏光子の偏向透過軸の搬送方向に対する交差角（搬送方向に対する交差角とは、一対の偏光子のうちどちらか一方の偏光子の偏向透過光軸の搬送方向に対する交差角をいう）は、略０度に設定される。ここで略０度とは、被検査フィルムＦの複屈折特性によってその許容範囲は異なるが、例えば±２〜３度以内をいう。
【００３７】
フィルム欠陥検査装置６０は、照明光源６０ａ、偏光子６０ｂ、液晶補正フィルム６０ｃ、偏光子６０ｄおよびＣＣＤカメラ６０ｅを備え、これらは、上述した欠陥検査装置１０の照明光源１２、偏光子１４ａ、液晶補正フィルム１６、偏光子１４ｂおよびＣＣＤカメラ２０に対応するもので、これらの構成や作用は、照明光源１２、偏光子１４ａ、液晶補正フィルム１６、偏光子１４ｂおよびＣＣＤカメラ２０と同一であるので、説明は省略する。
また、フィルム欠陥検査装置６０には、光学系１８が含まれない。また、偏光子６０ｂと偏光子６０ｄはクロスニコルに偏向透過光軸が配置されると共に、偏光子６０ｂまたは偏光子６０ｄの偏向透過光軸の一方は、搬送方向に対して僅かに傾き、例えば、５度以上１５度以下の範囲に傾斜して配置される。すなわち、一対の偏光子の偏向透過軸の搬送方向に対する交差角は、例えば５度以上１５度以下、好ましくは、例えば略１０度に設定される。
【００３８】
フィルム欠陥検査装置６２は、照明光源６２ａ、偏光子６２ｂ、液晶補正フィルム６２ｃ、偏光子６２ｄおよびＣＣＤカメラ６２ｅを備え、これらは、上述したフィルム欠陥検査装置１０の照明光源１２、偏光子１４ａ、液晶補正フィルム１６、偏光子１４ｂおよびＣＣＤカメラ２０に対応するもので、これらの構成や作用は、照明光源１２、偏光子１４ａ、液晶補正フィルム１６、偏光子１４ｂおよびＣＣＤカメラ２０と同一であるので、説明は省略する。
なお、フィルム欠陥検査装置６２には、光学系１８が含まれない。また、偏光子６２ｂと偏光子６２ｄはクロスニコルに偏向透過光軸が配置されると共に、偏光子６２ｂまたは偏光子６２ｄの偏向透過光軸の一方は、搬送方向に対して略４５度程度、例えば３５度以上４５度以下の範囲に傾斜して配置される。すなわち、一対の偏光子の偏向透過軸の搬送方向に対する交差角は、例えば３５度以上４５度以下、好ましくは、例えば略４５度に設定される。
【００３９】
このようにフィルム欠陥検査装置５８、６０および６２において、偏光子の偏向透過軸の交差角を変えるのは、被検査フィルムＦの欠陥の種類や欠陥の程度に応じて、最もＳＮ比の高い状態で輝度信号を得るためである。以下、その作用について説明する。
図６には、フィルム欠陥検査装置１０において、被検査フィルムＦのレターデーション値（（遅相軸の複屈折率−遅相軸と直交する軸の複屈折率）×被検査フィルムＦの厚みの値）が２２ｎｍである時の、一対の偏光子１４の偏向透過軸と被検査フィルムＦの遅相軸との交差角（遅相軸との交差角は、一対の偏光子のうちのどちらか一方の偏光子の偏向透過軸と被検査フィルムＦの遅相軸の交差角をいう）に対して、一方の偏光子に入射される光量に対する他方の偏光子から透過する透過光量の比率（透過光量比）がどのように変化するかを示したものである。
【００４０】
図６によると、被検査フィルムＦの遅相軸と偏向透過軸の交差角が０度、すなわち、被検査フィルムＦの遅相軸と一方の偏光子の偏向透過軸とが平行である場合、被検査フィルムＦに入射された光は偏光子１４ａによって受けた直線偏向の状態のまま被検査フィルムＦを透過するため、クロスニコルに配置された偏光子１４ｂから透過することはなく、従って透過光量比は０である。しかし、被検査フィルムＦの遅相軸と偏向透過軸の交差角が増えるに連れて、偏光子１４ａによって直線偏向を受けた光が被検査フィルムＦの複屈折特性の影響を受けて楕円偏向成分が強くなる。そのため、偏光子１４ｂから透過する透過光の光量は交差角にともなって次第に増大し透過光量比は増大する。
【００４１】
ここで、被検査フィルムＦに欠陥が存在し、すなわち、被検査フィルムＦの遅相軸の方向が乱れ、遅相軸と偏向透過軸の交差角が変動する場合を考える。例えば、被検査フィルムＦの欠陥が液晶の配向欠陥によって遅相軸が所定角度以上傾く、例えば５度以上傾くような大きな配向欠陥の場合、被検査フィルムＦの正常な部分の遅相軸と偏向透過軸の交差角が０度であっても、大きな配向欠陥では、その欠陥部分の遅相軸の方向が大きくずれ偏向透過軸と大きな交差角を形成するため、図６に示される交差角に対応して透過光量は大きく変化する。したがって、得られる欠陥部分の輝度信号は大きな信号の変化として検出される。
【００４２】
一方、配向欠陥の遅相軸が偏光子１４の偏向透過軸に対して傾いているが、その角度が所定角度未満である小さな配向欠陥、例えば５度未満の配向欠陥の場合、被検査フィルムＦの正常な部分の遅相軸と偏向透過軸の交差角が略０度の時、図６に示されるように、交差角０度の近傍では、交差角の僅かな変化に対して透過光量比が十分に変化しないため、小さな配向欠陥を輝度信号として検出することは難しい。そこで、被検査フィルムＦの遅相軸と偏向透過軸の交差角を５度以上１５度以下に、例えば１０度に設定することで、遅相軸の向きのわずかな変化に対する透過光量比の変化を増幅することができる。すなわち、小さな配向欠陥の場合、正常な被検査フィルムＦの遅相軸と偏光子１４の偏向透過軸の交差角を５度以上１５以下に設定することで、小さな配向欠陥による透過光量比の変化を大きくして輝度信号の変化を増幅し、ＳＮ比を向上して欠陥検出の精度を高めることができる。
【００４３】
本実施例においては、上記交差角を５度以上１５度以下に限定することによって、被検査フィルムＦの正常な部分の輝度信号のレベルを低く抑えつつ、小さな配向欠陥の輝度信号を効果的に検出することができるが、本発明においては、被検査フィルムＦの複屈折特性によっては、上記交差角を５度以上１５度以下に限定する必要はなく、図６に示される様な交差角に対する透過光量比の曲線に応じて、交差角を適宜設定するとよい。
【００４４】
また、被検査フィルムＦでは、配向欠陥はないが、製造工程における塗布むら等によってレターデーション値が変動する位相差欠陥、すなわち、上述した段ムラも発生する。
図６に示す遅相軸と偏光子１４の偏向透過軸の交差角が小さい場合、透過光量比が元々小さいため、上記位相差欠陥によるレターデーション値の変化に対応して透過光量比は大きく変化しない。一方、上記交差角が大きい場合、図７に上記交差角が４５度の場合のレターデーション値に対する透過光量比の変化が示されているように、透過光量自体が多いため、レターデーション値に対する透過光量比の変化が大きい。
そのため、レターデーション値の変化する位相差欠陥の場合は、上記交差角を大きく、例えば３５度以上４５度以下、好ましくは例えば４５度に設定することによって、レターデーション値の変化に対する透過光量比を大きく変化させることができ、位相差欠陥部分における輝度信号の変化を増幅し、ＳＮ比を向上させて位相差欠陥の検出の精度を高めることができる。上述した様に好ましい交差角の態様は４５度であるが、この理由は、偏光子１４がクロスニコルに配置されているため、交差角４５度において透過光量比が最大となり、この交差角でのレターデーション値に対する透過光量比の変化が最大になるからである。
なお、本発明において、被検査フィルムＦの複屈折特性によっては、上記交差角を３５度以上４５度以下に限定する必要はなく、図６に示される様な交差角に対する透過光量比の曲線に応じて、交差角を適宜設定するとよい。
【００４５】
このように、欠陥の種類や欠陥の程度に応じて、被検査フィルムＦの正常な部分の遅相軸と偏光子の偏向透過軸との交差角を変えることによって、欠陥を漏れなく精度よく検出することができる。
【００４６】
フィルム欠陥検査システム５０では、上述した原理に基づき、さらに、搬送される被検査フィルムＦの遅相軸が搬送方向と直交する方向に向いて製造されることを利用して、フィルム欠陥検査装置５８、６０および６２における偏光子の偏向透過軸を搬送方向に対して所定の方向に変化させたものである。
すなわち、フィルム欠陥検査装置５８では、大きな配向欠陥を精度よく検出できる様に、被検査フィルムＦの遅相軸と偏光子５８ｂまたは５８ｄの偏向透過光軸の交差角を略０度、即ち略平行に設定するために、偏光子５８ｂまたは５８ｄの偏向透過光軸を搬送方向に対して略０度、即ち略平行に配置する。
これによって、欠陥検査装置５８は、大きな配向欠陥を精度よく検出できる輝度信号を得ることができる他、さらに、遅相軸の方向が様々に変動しレターデーション値も様々に変動する異物混入による欠陥も精度よく検出できる輝度信号を得ることができる。
【００４７】
フィルム欠陥検査装置６０では、小さな配向欠陥を精度よく検出できる様に、被検査フィルムＦの遅相軸と偏光子６０ｂまたは６０ｄの偏向透過光軸の交差角を略１０度に設定し、従って、偏光子６０ｂまたは６０ｄの偏向透過光軸を搬送方向に対して略１０度に配置する。これによって、フィルム欠陥検査装置６０は、小さな配向欠陥を精度よく検出できる輝度信号を得ることができる他、大きな配向欠陥は勿論、遅相軸の方向が様々に変動するとともに、レターデーション値も様々に変動する異物混入による欠陥も精度よく検出できる輝度信号を得ることができる。
【００４８】
フィルム欠陥検査装置６２では、遅相軸の向きが変化した配向欠陥でなく、レターデーション値が変化した位相差欠陥を精度よく検出できる様に、被検査フィルムＦの遅相軸と偏光子６２ｂまたは６２ｄの偏向透過光軸の交差角を略４５度に設定し、従って、偏光子６２ｂまたは６２ｄの偏向透過光軸を搬送方向に対して略４５度に配置する。これによって、フィルム欠陥検査装置６２は、位相差欠陥を精度よく検出できる輝度信号を得ることができる。
【００４９】
このように、欠陥検査システム５０は、被検査フィルムＦの光学的欠陥を遅相軸の向きのズレによる配向欠陥を程度に応じて大きな配向欠陥や小さな配向欠陥に分類して欠陥検出を可能とし、さらには、レターデーション値がずれる位相差欠陥を検出可能とし、さらに異物混入による欠陥等も検出可能とする。
欠陥検査システム５０では、欠陥検査装置の一対の偏光子の偏向透過光軸を搬送方向に対して略０度、略１０度および略４５度に交差して３台の欠陥検査装置を配置するが、本発明の欠陥検査システムでは、台数に限定はなく、また、交差角度も限定されず、被検査フィルムＦの遅相軸の向きやレターデーション値等の複屈折特性に応じて、上記交差角を種々変化すればよい。
【００５０】
このようなフィルム欠陥検査システム５０のフィルム欠陥検査装置５８、６０および６２では、被検査フィルムＦの幅に合わせて複数台のＣＣＤカメラが配置される。例えば、フィルム欠陥検査装置６０では、図８に示される様に、連続搬送される被検査フィルムＦの幅に合わせて、ＣＣＤカメラ６０ｅ1〜６０ｅ6からなるＣＣＤカメラ６０ｅによって幅方向全体の透過光を受光して輝度信号を欠陥検出装置６４に送る。
【００５１】
上記欠陥検査システム５０では、例えば毎分１８ｍの速度で連続的に搬送される被検査フィルムＦを上述した様に幅方向に６台のＣＣＤカメラを配置し、カメラによる分解能を例えば０．１２５ｍｍとし、フィルム欠陥検査装置６０で得られる輝度信号に対して、微分回路や空間フィルタ回路等および「薄汚れ検出回路」を通すことによって、フィルム欠陥検査装置６０で得られる輝度信号に対しては、微分処理回路や空間フィルタ回路および「スジ検出回路」を通すことによって所望の欠陥検査をインラインで行う。
【００５２】
特に、上述した被検査フィルムＦの製造中の塗布むらは、搬送方向と直交する方向に発生する段ムラとなり、レターデーション値が変化する位相差欠陥となるので、偏向透過光軸が搬送方向に対して略４５度に傾斜した偏光子６０ｂまたは６０ｄを有するフィルム欠陥検査装置６０を用いて段ムラを検出する場合、ＣＣＤカメラ６０ｅ1〜６０ｅ6を用い、あるいは、上述したように被検査フィルムＦの幅に合わせて複数台、例えば６台のＣＣＤカメラを用い、被検査フィルムＦの搬送方向と直交する方向に対して傾斜して、例えば４５度に傾斜して撮像するとよい。その際、欠陥検出装置６４において、画面上水平あるいは垂直の搬送方向となるように画像回転の処理を行うとよい。こうして、段ムラの発生周期や段ムラの強度を定量化することができる。
【００５３】
以上、本発明のフィルムの欠陥検査装置およびフィルムの欠陥検査方法について詳細に説明したが、本発明は上記実施例に限定はされず、本発明の要旨を逸脱しない範囲において、各種の改良および変更を行ってもよいのはもちろんである。
【図面の簡単な説明】
【００５４】
【図１】本発明のフィルムの欠陥検査装置の一例の概略を説明する概略構成図である。
【図２】（ａ）は、従来のフィルム検査装置を説明する説明図であり、（ｂ）は（ａ）の  検査装置で得られる輝度信号の一例を示す図であり、（ｃ）は本発明のフィルムの欠陥検査装置の他の例の概略を説明する説明図であり、（ｄ）は（ｃ）の検査装置で得られる輝度信号の一例を示す図である。
【図３】本発明のフィルム欠陥検査装置の受光手段の配置の一例を説明する図である。
【図４】従来のフィルム欠陥検査装置の受光手段の配置の一例を説明する図である。
【図５】本発明のフィルムの欠陥検査装置を利用するフィルムの欠陥検査システムの一例の概略を説明する概略構成図である。
【図６】本発明のフィルムの欠陥検査装置によって得られる透過光量比の特性を示す図である。
【図７】本発明のフィルムの欠陥検査装置によって得られる透過光量比の他の特性を示す図である。
【図８】本発明のフィルムの欠陥検査装置を利用する欠陥検査システムに用いられる本発明のフィルムの欠陥検査装置の一例の概略を説明する概略構成図である。
【符号の説明】
【００５５】
１０，３０，４０，５８，６０，６２  フィルム欠陥検査装置
１２，３２，４２，５８ａ，６０ａ，６２ａ  照明光源
１４  一対の偏光子
１４ａ，１４ｂ，３４ａ，３４ｂ，４４ａ、４４ｂ，５８ｃ，６０ｃ，６２ｃ  偏光子
１６，４６，５８ｃ，６０ｃ，６２ｃ  液晶補正フィルム
１８，５８ｅ  光学系
２０，３６，４８，５８ｆ，６０ｅ，６２ｅ  ＣＣＤカメラ
２２，６４  欠陥検出装置
【図１】
2008151814.tif 000003
【図２】
2008151814.tif 000004
【図３】
2008151814.tif 000005
【図４】
2008151814.tif 000006
【図５】
2008151814.tif 000007
【図６】
2008151814.tif 000008
【図７】
2008151814.tif 000009
【図８】
2008151814.tif 000010